(57)【要約】      （修正有）【課題】簡素な構成によりコストを抑えるとともに、狭いスペースに有効利用でき、取付け、取外しを簡単に行うことができる棚構造を提供する。【解決手段】天井と床面との間に突っ張り固定される一本の支柱１０、支柱１０に取付けられる取付け部材２０、取付け部材２０に固定される受け部材を備えている。支柱１０は、その両側面の一端から他端に向けて形成された一対の切込み溝を有している。また、取付け部材２０は、一対の切込み溝に差込み可能なコの字形に成形された取付け片を有している。該切込み溝は該取付け片の差込みを案内し、該取付け片の両側部を挟持する。【選択図】図１
0003142796.tif 000002
【実用新案登録請求の範囲】
【請求項１】
天井と床面との間に突っ張り固定される一本の支柱と、
当該支柱に取付けられる取付け部材と、
当該取付け部材に固定される受け部材とを備え、
前記支柱は、前記支柱の両側面の一端から他端に向けて形成された一対の切込み溝を有し、
前記取付け部材は、前記一対の切込み溝に差込み可能な一対の取付け片を有し、
前記切込み溝は、前記取付け片の差込みを案内し、当該取付け片の両側部を挟持することを特徴とする棚構造。
【請求項２】
前記切込み溝は、断面略コ字状に形成され、
前記取付け片は、前記切込み溝内に前記支柱の側面と面一に埋設されるように形成されていることを特徴とする請求項１に記載の棚構造。
【請求項３】
前記取付け部材は、前記一対の取付け片の間で、前記支柱の正面に当接して前記取付け片とともに前記受け部材を支持する支持片を有することを特徴とする請求項１または２に記載の棚構造。
【請求項４】
前記支柱は、当該支柱の高さを調整する高さ調整部を有することを特徴とする請求項１乃至３の何れかに記載の棚構造。
【請求項５】
前記一対の切込み溝は、前記支柱の両側面に複数形成されていることを特徴とする請求項１乃至４の何れかに記載の棚構造。
【考案の詳細な説明】
【技術分野】
【０００１】
本考案は、天井と床面との間に突っ張り固定される支柱と、当該支柱に取付けられる受け部材とを備える棚構造に関する。
【背景技術】
【０００２】
従来、このような棚構造としては、例えば特許文献１が知られている。図１２および図１３に示すように、特許文献１の棚構造２００は、所定の間隔をおいて天井と床面との間に突っ張り固定される二本の支柱２１０と、支柱２１０に固定された上下位置調整可能な二つの棚受け部材２２０と、棚受け部材２２０の前方と後方の近くの位置に上面から下方に向かって形成された二つの溝２３０に嵌挿される二本の桟材２４０と、棚受け部材２２０の溝２３０の幅と略同じ幅に形成された二つの引掛部２５０により溝２３０に嵌挿された各桟材２４０を固定する棚部材２６０とを備えている。このような構成によれば、支柱２１０間で棚受け部材２２０を同じ高さに固定することにより、棚部材２６０を床面に対して平行に設けることができる。また、棚部材２６０は、棚受け部材２２０の溝２３０に各桟材２４０を押し込んで、引掛部２５０を各桟材２４０に引っ掛けることで取付けることができる。一方、引掛部２５０を各桟材２４０から取外すことで棚部材２６０は棚受け部材２２０から取出すことができ、各桟材２４０も溝２３０から取出すことができる。
【特許文献１】特開平１０−１７９２７４号公報
【考案の開示】
【考案が解決しようとする課題】
【０００３】
しかしながら、上記特許文献１の棚構造は、二本の支柱を突っ張り固定し、棚受け部材の溝を相互に平行した上で、さらに、棚受け部材を床面に対して平行に設けるための位置調整を行う必要があり、棚受け部材への棚部材の取付けに手間がかかる。また、二本の支柱を立設させる間隔を確保しなければならないため、狭いスペースを有効に利用できないという問題がある。
【０００４】
本考案は、このような問題に着目し、より簡素な構成によりコストを抑えるとともに、狭いスペースに有効利用でき、取付け、取外しを簡単に行うことができる棚構造を提供することを目的とする。
【課題を解決するための手段】
【０００５】
本考案の棚構造は、天井と床面との間に突っ張り固定される一本の支柱と、当該支柱に取付けられる取付け部材と、当該取付け部材に固定される受け部材とを備えている。支柱は、その両側面の一端から他端に向けて形成された一対の切込み溝を有している。また、取付け部材は、一対の切込み溝に差込み可能な一対の取付け片を有している。切込み溝は取付け片の差込みを案内し、取付け片の両側部を挟持する。
【考案の効果】
【０００６】
上記のとおり、本考案の棚構造は、受け部材を固定した取付け部材を一本の支柱に対して取り付けるものであり、簡素な構成によりコストを抑えるとともに狭いスペースに有効利用できる。また、支柱の両側面に形成された一対の切込み溝に対して一対の取付け片を差込むことにより、取付け部材を支柱に簡単に取り付けることができ、また、一対の切込み溝から一対の取付け片を引抜くことにより、取付け部材を支柱から簡単に取り外すことができる。
【考案を実施するための最良の形態】
【０００７】
以下、本考案の一実施の形態の棚構造について図面を用いて説明する。図１は、支柱に受け部材を取付けた棚構造の全体斜視図を示している。棚構造１は、天井と床面との間に突っ張り固定される一本の支柱１０と、支柱１０に取付けられる取付け部材２０ａ〜２０ｄと、取付け部材２０ａ〜２０ｄに固定される受け部材３０ａ〜３０ｄとから構成されている。
【０００８】
図２及び図３は、支柱１０の斜視図を示している。支柱１０は、柱部１００と、天井押圧部１１０と、床面押圧部１２０と、高さ調整部１３０とからなる。
【０００９】
柱部１００の両側面には、その厚さ方向に、一端から他端に向けて一対の切込み溝１０１ａ〜１０１ｄが断面略コ字状に複数形成されている。また、柱部１００の上端には係合溝１０２が設けられ、下端には被嵌合溝１０３が設けられている。
【００１０】
天井押圧部１１０は、天井に対接する天井押圧面１１１と、天井押圧面１１１から垂直方向に立設された天井支持棒１１２とからなり、天井支持棒１１２の先端には、柱部１００の係合溝１０２に係合する係合片１１３が形成されている。なお、天井押圧面１１１は、天井が傷つかないようゴム弾性を有する材質が用いられるのが好ましい。
【００１１】
床面押圧部１２０は、床面に対接する床面押圧面１２１と、床面押圧面１２１から垂直方向に立設された床面支持棒１２２とからなり、床面支持棒１２２の先端には、ネジ収納溝１２３が設けられている。なお、床面押圧面１２１は、床面が傷つかないようゴム弾性を有する材質が用いられるのが好ましい。
【００１２】
高さ調整部１３０は、柱部１００の被嵌合溝１０３に嵌合する嵌合片１３１と、ナット１３２と、ワッシャー１３３と、床面押圧部１２０のネジ収納溝１２３に収納可能なネジ１３４と、ネジ１３４の被嵌合溝１０３への潜り込み及び被嵌合溝１０３近辺の損傷を防止するワッシャー１３５とからなる。図３に示すように、嵌合片１３１は、柱部１００に対して回転できないように嵌合され、一方、ネジ１３４は、床面押圧部１２０に対して高さ方向に移動できるように収納される。ワッシャー１３３を床面支持棒１２２の先端面に対接させた状態でナット１３２を締め付ける方向（時計回りの方向）に回転した場合、ネジ収納溝１２３に収納されているネジ１３４は上方向に移動する。一方、その状態でナット１３２を緩める方向（反時計回りの方向）に回転した場合、ネジ収納溝１２３に収納されていたネジ１３４は下方向に移動する。なお、ワッシャー１３５は、嵌合片１３１を被嵌合溝１０３に嵌合した状態で溶接等により固定される。
【００１３】
このように本実施の形態の支柱１０は、柱部１００、天井押圧部１１０、床面押圧部１２０、高さ調整部１３０の組立て、取外しを簡単に行うことができ、また、高さ調整部１３０により高さを調整して天井と床面との間への支柱１０の突っ張り固定、取外しも簡単に行うことができる。
【００１４】
図４乃至図７は、支柱１０に取付けられる前の取付け部材２０ａ〜２０ｄと、取付け部材２０ａ〜２０ｄに固定される前の受け部材３０ａ〜３０ｄの部分斜視図を示している。
【００１５】
取付け部材２０ａ〜２０ｄは、一対の切込み溝１０１ａ〜１０１ｄに差込み可能な一対の取付け片２１ａ〜２１ｄと、取付け片１０１ａ〜１０１ｄの間にあって柱部１００の正面に当接する支持片２２ａ〜２２ｄと、受け部材３０ａ〜３０ｄを取付け、固定する固定片２３ａ〜２３ｄとからなる。
【００１６】
取付け片２１ａ〜２１ｄは、切込み溝１０１ａ〜１０１ｄに取り付けることができるよう、相互に平行に離間され、その厚さと高さは切込み溝１０１ａ〜１０１ｄと略同じ寸法で形成されている。また、取付け片２１ａ〜２１ｄの横辺の長さは切込み溝１０１ａ〜１０１ｄよりも少し長い寸法で形成され、その先端の近くには支持孔２４ａ〜２４ｄが設けられている。
【００１７】
固定片２３ａ〜２３ｄは、支持片２２ａ〜２２ｄの上端から取付け片２１ａ〜２１ｄとは逆方向に延び、それぞれ受け部材３０ａ〜３０ｄの用途に合わせて設けられている。また、固定片２３ａ〜２３ｄには、受け部材３０ａ〜３０ｄを取付け固定するための固定孔２５ａ〜２５ｄが設けられている。
【００１８】
一方、受け部材３０ａ〜３０ｄは、様々な形状が用意され、図４に示す棒状のもの、図５〜図７に示す板状のもの等がある。図４の受け部材３０ａは、開口部を有する椀状や筒状の物品等を挿入し、物品の底部を内側から受けるものであり、例えば、帽子の裏布側やロングブーツの履き口部側から挿入され、その頭部や靴底が内側から掛けられる。図５の受け部材３０ｂは、物品を水平状態で受けるものであり、例えば、花瓶や照明器具等が載置される。図６や図７の受け部材３０ｃ，３０ｄは、物品を斜めの状態で受けるものであり、例えば、靴や衣類等が載置される。また、受け部材３０ａ〜３０ｄには、固定片２３ａ〜２３ｄに設けられた固定孔２５ａ〜２５ｄに対向する部分に被嵌合溝３２ａ、固定孔３３ｂ〜３３ｄが設けられている。
【００１９】
図４の受け部材３０ａは、被嵌合溝３２ａに対して固定具３１ａの一端に形成された嵌合片を嵌合した状態で、ワッシャー３５ａを溶接等により固定される。また、固定具３１ａの他端に形成されたネジをワッシャー３４ａ、固定孔２４ａに通して固定することで、取付け部材２０ａの固定片２３ａが受け部材３０ａの先端に対接された状態で固定される（図８参照）。また、固定具３１ａに形成されたネジは、その先端が取付け部材２０ａの支持片２２ａに当接された状態で固定されており、固定孔２５ａと支持片２２ａの２点で支持するので、受け部材３０ａに設けられる物品等の重みによる負荷が軽減できるようになっている。
【００２０】
一方、図５〜図８の受け部材３０ｂ〜３０ｄは、固定孔３３ｂ〜３３ｄ、固定孔２５ｂ〜２５ｄに通して固定することで、取付け部材２０ｂ〜ｄの固定片２３ｂ〜２３ｄが受け部材３０ｂ〜３０ｄの面に対接された状態で固定される（図９〜図１１参照）。なお、固定具は、ネジ以外でも良く、取付け部材２０ａ〜２０ｄに対して受け部材３０ａ〜３０ｄを固定できるものであれば良い。
【００２１】
このように本実施の形態の取付け部材２０、受け部材３０は、簡素な構成であり、バリエーションに富んだ受け部材３０を取付け部材２０に対して簡単に固定できる。
【００２２】
図８乃至図１１は、受け部材３０ａ〜３０ｄが取付け部材２０ａ〜２０ｄに固定され、取付け部材２０ａ〜２０ｄが支柱１０に取付けられた棚構造１の部分斜視図を示している。取付け片２１ａ〜２１ｄは、支柱１０の切込み溝１０１ａ〜１０１ｄの形状に従って差込みが案内され、支持片２２ａ〜２２ｄが柱部１００の正面に当接された状態で取り付けられる。この時、切込み溝１０１ａ〜１０１ｄの上下部は、取付け片２１ａ〜２１ｄの両側部から受け部材３０ａ〜３０ｄに設けられる物品等の重みによる負荷を受け、切込み溝１０１ａ〜１０１ｄの上下部で取付け片２１ａ〜２１ｄの両側部を強固に挟持するものとなっている。これにより、受け部材３０ａ〜３０ｄを固定した取付け部材２０ａ〜２０ｄを安定した状態で支柱１０に取付けることができる。なお、取付け片２１ａ〜２１ｄの両側部の幅は、切込み溝１０１ａ〜１０１ｄの上下部の幅と同じ寸法で形成され、柱部１００の側面と面一に埋設され、体裁良く取付けられる。さらに、支持片２２ａ〜２２ｄは、柱部１００の正面に当接されることにより、切込み溝１０１ａ〜１０１ｄの上下部にかかる負荷を軽減し、取付け部材２０ａ〜２０ｄに固定された受け部材３０ａ〜３０ｄを取付け片２１ａ〜２１ｄとともに支持することができる。さらに、取付け片２１ａ〜２１ｄの先端は、切込み溝１０１ａ〜１０１ｄから突出した状態となっており、支持孔２４ａ〜２４ｄに対してネジ等の固定具を通して固定することにより、切込み溝１０１ａ〜１０１ｄからの取付け部材２０ａ〜２０ｄの抜け落ちを防止できる。
【００２３】
以上、本実施の形態の棚構造１によれば、受け部材３０を固定した取付け部材２０を一本の支柱１０に対して取り付けるものであり、簡素な構成によりコストを抑えるとともに狭いスペースに有効利用できる。また、支柱１０の両側面に形成された一対の切込み溝１０１ａ〜１０１ｄに対して一対の取付け片２１ａ〜２１ｄを差込むことにより、取付け部材２０を支柱１０に簡単に取り付けることができ、また、一対の切込み溝１０１ａ〜１０１ｄから一対の取付け片２１ａ〜２１ｄを引抜くことにより、取付け部材２０を支柱１０から簡単に取り外すことができる。
【００２４】
なお、本考案は、本実施の形態の説明の範囲に限定されるものではなく、その要旨を逸脱しない範囲で適宜に設計が可能である。例えば、切込み溝１０１ａ〜１０１ｄは、柱部１００の両側面の厚さ方向に形成されているが、厚さ方向から上方あるいは下方に傾けた方向に形成しても良い。また、切込み溝１０１ａ〜１０１ｄ及び取付け片２１ａ〜２１ｄの形状も、切込み溝１０１ａ〜１０１ｄに対して取付け片２１ａ〜２１ｄが差込み可能な形状であれば良く、例えば、鋸状に形成された切込み溝１０１ａ〜１０１ｄに対して取付け片２１ａ〜２１ｄを差込み可能な形状としても良い。その他、棚構造の材質については、プラスチック類、木材、金属類の何れを用いても良い。
【図面の簡単な説明】
【００２５】
【図１】本考案の一実施の形態の棚構造の全体を示す斜視図
【図２】支柱の全体を示す斜視図
【図３】支柱の部分を示す斜視図
【図４】支柱に取付けられる前の取付け部材と、取付け部材に固定される前の受け部材の部分斜視図
【図５】支柱に取付けられる前の取付け部材と、取付け部材に固定される前の受け部材の部分斜視図
【図６】支柱に取付けられる前の取付け部材と、取付け部材に固定される前の受け部材の部分斜視図
【図７】支柱に取付けられる前の取付け部材と、取付け部材に固定される前の受け部材の部分斜視図
【図８】受け部材が取付け部材に固定され、取付け部材が支柱に取付けられた棚構造の部分斜視図
【図９】受け部材が取付け部材に固定され、取付け部材が支柱に取付けられた棚構造の部分斜視図
【図１０】受け部材が取付け部材に固定され、取付け部材が支柱に取付けられた棚構造の部分斜視図
【図１１】受け部材が取付け部材に固定され、取付け部材が支柱に取付けられた棚構造の部分斜視図
【図１２】特許文献１の棚構造の全体を示す斜視図
【図１３】特許文献１の棚構造の取り付け方を横方向から見た図
【符号の説明】
【００２６】
１  棚構造
１０  支柱
１００  柱部
１０１ａ〜１０１ｄ  切込み溝
１０２  係合溝
１０３  被嵌合溝
１１０  天井押圧部
１１１  天井押圧面
１１２  天井支持棒
１１３  係合片
１２０  床面押圧部
１２１  床面押圧面
１２２  床面支持棒
１２３  ネジ収納溝
１３０  高さ調整部
１３１  嵌合片
１３２  ナット
１３３  ワッシャー
１３４  ネジ
１３５  ワッシャー
２０ａ〜２０ｄ  取付け部材
２１ａ〜２１ｄ  取付け片
２２ａ〜２２ｄ  支持片
２３ａ〜２３ｄ  固定片
２４ａ〜２４ｄ  支持孔
２５ａ〜２５ｄ  固定孔
３０ａ〜３０ｄ  受け部材
３１ａ〜３１ｄ  固定具
３２ａ  被嵌合溝
３３ｂ〜３３ｄ  固定孔
３４ａ  ワッシャー
３５ａ  ワッシャー
【図１】
0003142796.tif 000003
【図２】
0003142796.tif 000004
【図３】
0003142796.tif 000005
【図４】
0003142796.tif 000006
【図５】
0003142796.tif 000007
【図６】
0003142796.tif 000008
【図７】
0003142796.tif 000009
【図８】
0003142796.tif 000010
【図９】
0003142796.tif 000011
【図１０】
0003142796.tif 000012
【図１１】
0003142796.tif 000013
【図１２】
0003142796.tif 000014
【図１３】
0003142796.tif 000015